(57)【要約】      （修正有）【課題】電子ディスプレイ機器に容易に取り付けることができ、首や肩に掛けて電子ディスプレイ機器を保持できるラップトップ携帯用ストラップを提供する。【解決手段】ラップトップコンピュータ４５０やタブレット等の電子ディスプレイ機器に使用するラップトップ用携帯用ストラップ４００であって、ラップトップ用携帯用ストラップ４００は、ユーザが着用するように構成された第１の細長い部分４０２を含み、第１の細長い部分４０２は、電子ディスプレイ機器を支持する第２の細長い部分、または取り付け用ビークルを介して電子ディスプレイ機器に取り付けられるマントルのいずれかに取り付けることができる。取り付け用ビークルは構造用接着剤または感圧接着剤を含むことができる。【選択図】図４
0003233853.tif 000002
【実用新案登録請求の範囲】
【請求項１】
ラップトップ携帯用ストラップであって、
ユーザが装着するような構造に構成された第１の細長い部分と、
ラップトップコンピュータのスクリーン部と本体部との間部の前記スクリーン部と前記本体部とを連結するヒンジの近くに配置され、前記ラップトップコンピュータから離れる方へ延在するような構造に構成された第２の細長い部分とを含み、
前記第１の細長い部分の第１端部は、前記第２の細長い部分の第１端部に連結され、前記第１の細長い部分の第２端部は前記第２の細長い部分の第２端部に連結され、前記第１の細長い部分と前記第２の細長い部分とで一つながりのループを形成し、かつ、
前記第１の細長い部分と前記第２の細長い部分とは、前記第２の細長い部分を前記ラップトップコンピュータの前記スクリーン部と前記本体部との間部の前記ヒンジの近くに置いて前記ラップトップ携帯用ストラップを前記ユーザが装着するとき、十分な強度で前記ラップトップコンピュータを保持するような構造に構成されること
を特徴とするラップトップ携帯用ストラップ。
【請求項２】
さらにマントル含み、
該マントルは、少なくとも部分的に前記ラップトップコンピュータを覆うように構成され、かつ、前記マントルは前記ラップトップコンピュータをリバーシブルに固定するように構成されていること
を特徴とする請求項１に記載のラップトップ携帯用ストラップ。
【請求項３】
ラップトップ携帯用ストラップであって、
ユーザが装着することができるような構造に構成された細長い部分であって、その上に配置された少なくとも一つの連結ポートを有する前記細長い部分と、
内面と外面とを有し、かつ、前記細長い部分に置かれた前記少なくとも一つの連結ポートと取り外し可能な連結部を形成するように構成された少なくとも一つの取り外し可能なコネクタを含むマントルと、
前面と背面とさらにヒンジとを有するケースを含むコンピュータと、
前記マントル上に配置されて前記マントルに取り付けられ、かつ前記マントルを前記コンピュータのケースに取り付けるように構成され、かつ、ユーザが前記ラップトップ携帯用ストラップを装着したときに前記コンピュータを支持するために必要な十分な強度を持つ取り付け用ビークルと、を含むこと
を特徴とするラップトップ携帯用ストラップ。
【請求項４】
前記マントルは、前記マントルの上に間隔を置いて配置された２つ以上の取り付け用ビークルを有すること
を特徴とする請求項３に記載のラップトップ携帯用ストラップ。
【請求項５】
前記マントルは、さらにスパインを有すること
を特徴とする請求項３に記載のラップトップ携帯用ストラップ。
【請求項６】
前記取り外し可能なコネクタが前記マントルの前記スパインに取り付けられていること
を特徴とする請求項５に記載のラップトップ携帯用ストラップ。
【請求項７】
前記少なくとも一つのリバーシブルなコネクタは、前記少なくとも一つの連結ポートとリバーシブルな連結部を形成するように構成されること
を特徴とする請求項３に記載のラップトップ携帯用ストラップ。
【請求項８】
前記マントルが、革、ビニール、強化プラスチック、金属、金属箔、マット状のバインダーが埋め込まれた布、またはポリマーコーティングが挿入された布のような強化布、タペストリー、織布材または不織布材、ゴム、ナイロン合成繊維、またはこれらが任意に混合されたハイブリッド品を含むこと
を特徴とする請求項３に記載のラップトップ携帯用ストラップ。
【請求項９】
前記マントルは、その上に配置された少なくとも二つのコネクタを有すること
を特徴とする請求項３に記載のラップトップ携帯用ストラップ。
【請求項１０】
前記マントルが、その上に配置された少なくとも二つの取り外し可能なコネクタを有すること
を特徴とする請求項３に記載のラップトップ携帯用ストラップ。
【請求項１１】
取り外し可能な前記コネクタが、スナップコネクタ、フックアンドループコネクタ、剥離可能な接着剤、紐輪、またはスネアを含むこと
を特徴とする請求項３に記載のラップトップ携帯用ストラップ。
【請求項１２】
前記マントルは、その中を通って配置された少なくとも一つの通気孔を含むこと
を特徴とする請求項３に記載のラップトップ携帯用ストラップ。
【請求項１３】
前記少なくとも一つの通気孔が前記コンピュータのケースの前記ヒンジに近接して配置されること
を特徴とする請求項１２に記載のラップトップ携帯用ストラップ。
【請求項１４】
前記細長い部分が、電池、イヤホン、またはその両方を固定するように構成された区画を含むこと
を特徴とする請求項３に記載のラップトップ携帯用ストラップ。
【請求項１５】
前記マントルは、前記コンピュータのケース上に配置された二つ以上のボタン有すること
を特徴とする請求項３に記載のラップトップ携帯用ストラップ。
【請求項１６】
前記マントルは、文房具を保持するように構成されたポケットを有すること
を特徴とする請求項３に記載のラップトップ携帯用ストラップ。
【請求項１７】
少なくとも二つのボタンが前記コンピュータのケース上に配置され、該少なくとも二つのボタンは、両方とも前記コンピュータの前記ケースの前面に、または両方とも前記コンピュータの前記ケースの裏面に、または少なくとも一つのボタンは前記コンピュータの前記ケースの前面に、かつ少なくとも一つのボタンは前記コンピュータの前記ケースの裏面に配置されること
を特徴とする請求項３に記載のラップトップ携帯用ストラップ。
【請求項１８】
前記マントルは、前記コンピュータのケースの裏面に沿って延在し、少なくとも部分的に前記ヒンジを覆うこと
を特徴とする請求項３に記載のラップトップ携帯用ストラップ。
【請求項１９】
前記取り付け用ビークルは、永久的に取り付けられている、または取り外し可能であること
を特徴とする請求項３に記載のラップトップ携帯用ストラップ。
【請求項２０】
前記永久的に取り付けられている取り付け用ビークルは、構造用接着剤または感圧接着剤を含むこと
を特徴とする請求項１９に記載のラップトップ携帯用ストラップ。
【請求項２１】
前記永久的に取り付けられている取り付け用ビークルは、少なくとも約５キログラムの力に耐えることができること
を特徴とする請求項２０に記載のラップトップ携帯用ストラップ。
【請求項２２】
前記細長い部分が、前記ラップトップコンピュータに接続するように構成されたバッテリを含むこと
を特徴とする請求項１に記載のラップトップ携帯用ストラップ。
【請求項２３】
前記細長い部分が、前記ラップトップコンピュータに接続するように構成されたバッテリを含むこと
を特徴とする請求項３に記載のラップトップ携帯用ストラップ。
【請求項２４】
コンピュータを携帯するための方法であって、
ケースを有するコンピュータにラップトップ携帯用ストラップを取り付けるステップと、
前記ラップトップ携帯用ストラップを使用して前記コンピュータを携帯するステップと、を含み、
前記ラップトップ携帯用ストラップは、
ユーザが着用できるような構造に構成され、かつ、その上に配置された少なくとも一つの連結ポートを有する細長い部分と、
内面と外面と、前記細長い部分にある前記少なくとも一つの連結ポートとの連結部を形成するように構成された、少なくとも一つの取り外し可能なコネクタと、を有するマントルと、
前面と背面と、さらにヒンジを備えたケースを有するコンピュータと、
前記マントルに配置されて前記マントルに取り付けることができ、かつ、前記マントルを前記コンピュータの前記ケースに取り付けるように構成された取り付け用ビークルと、を含み、
前記取り付け用ビークルは、前記ラップトップ携帯用ストラップをユーザが装着したときに前記コンピュータを支持するのに十分な強度を持つこと
を特徴とする方法。
【考案の詳細な説明】
【技術分野】
【０００１】
＜関連するアプリケーションへの相互参照＞
本出願は、２０１８年４月４日に出願され、「コンピュータ携帯機器（COMPUTER CARRY DEVICES）」という発明名称の米国仮特許出願第６２／６５２，７０３号に関わる利益を主張する。この米国仮特許出願第６２／６５２，７０３号は、参照によりその全体が本明細書に組み込まれる。
【０００２】
本願発明は、電子ディスプレイ機器携帯用の物品に関し、より具体的には、ラップトップコンピュータやタブレットを携帯するための器具に関する。
【背景技術】
【０００３】
コンピュータメーカーは、ラップトップコンピュータのような電子ディスプレイ機器の容量と重量の削減において顕著な進歩を続けている。このような電子機器はますます携帯が容易になっている。しかし、ほとんどの電子機器は、閉じた電子機器の外面が自己保護ケースとしても機能する二枚貝の殻（クラムシェル）のように閉じるプラスチックまたは金属の硬いケースに収まるようになっている。または、このような電子機器は、タブレットや携帯電話の場合、背面は剛性のケース、前面はディスプレイにして製造される。これらの携帯型電子機器を携帯するには、かさばるケースやストラップ付きのバッグを使用するか、または、手に持って携帯する必要がある。
【考案の概要】
【考案が解決しようとする課題】
【０００４】
電子機器に容易に取り付けることができ、携帯用ストラップを取り付けることもできる物品が必要とされている。本明細書では、携帯用ストラップを各種電子ディスプレイ機器に取り付け、典型的には前記携帯用ストラップを胴体、首、または肩にループ状にかけて前記電子ディスプレイ機器を携帯するためにストラップを利用することを可能にする物品を開示する。さらに、本明細書では、コンピュータ又は同様な電子機器にラップトップ携帯用ストラップを取り付け、前記ラップトップ携帯用ストラップを使用して当該電子機器を携帯する方法を開示する。
【課題を解決するための手段】
【０００５】
一つの態様では、開示するラップトップ携帯用ストラップは、ユーザが装着するような構造に構成された第１の細長い部分と、ラップトップコンピュータのスクリーン部と本体部との間部の前記スクリーン部と前記本体部とを連結するヒンジの近くに配置され、前記ラップトップコンピュータから離れる方へ延在するような構造に構成された第２の細長い部分とを含む。前記第１の細長い部分の第１端部は、前記第２の細長い部分の第１端部に連結することができ、前記第１の細長い部分の第２端部は前記第２の細長い部分の第２端部に連結することができ、前記第１の細長い部分と前記第２の細長い部分とで一つながりのループを形成することができる。前記第１の細長い部分と前記第２の細長い部分とは、前記第２の細長い部分を前記ラップトップコンピュータの前記スクリーン部と前記本体部との間部の前記ヒンジの近くに置いて前記ラップトップ携帯用ストラップを前記ユーザが装着するとき、十分な強度で前記ラップトップコンピュータを保持するような構造に構成することができる。
【０００６】
別の態様では、開示するラップトップ携帯用ストラップは、ユーザが装着することができるような構造に構成された細長い部分を含む。この開示されたストラップは、該ストラップの上に設けられた少なくとも一つの係合解除可能な連結ポートと、内面と外面とを有するマントルとを含む。前記マントルは、前記ストラップの前記細長い部分に置かれた前記連結ポートと取り外し可能な連結部を形成するように構成されたコネクタを少なくとも一つ含むことができる。開示する前記ラップトップ携帯用ストラップは、さらに、ケースを有するコンピュータを含むことができる。前記ケースは、前面と、背面と、前記前面と前記背面との間部に配置されたヒンジと、を有することができる。取り付け用ビークル（取り付け用中間部材）が前記マントル上に配置されて前記マントルに取り付けられ、かつ前記マントルを前記コンピュータのケースに取り付けるように構成することができる。前記取り付け用ビークルは、ユーザが前記ストラップを装着したときに前記コンピュータを支持するのに十分な強度を持つことができる。いくつかの実施形態では、前記マントルの上には少なくとも二つのコネクタを配置することができる。他の実施形態では、前記マントルには、少なくとも二つの取り外し可能なコネクタを取り付けることができる。いくつかの実施形態では、前記マントルの上には二つ以上の取り付け用ビークルを配置することができる。いくつかの実施形態では、前記マントルは、前記マントルと前記コンピュータケースとの間部に配置されるスパインを有することができる。前記マントルは通気孔を有し、その通気孔を通して前記ラップトップコンピュータを冷却することができる。他の実施形態では、前記スパインに取り外し可能なコネクタを取り付けることができる。
【０００７】
さらに別の実施形態では、ケースを有するコンピュータにラップトップ携帯用ストラップを取り付けるステップを含む方法が開示される。前記ラップトップ携帯用ストラップはユーザが着用できるような構造に構成された細長い部分を含むことができる。前記ラップトップ携帯用ストラップは、その上に配置された少なくとも一つの連結ポートと、マントルと、を含めることができる。前記マントルは、内面と外面とを有し、少なくとも一つの取り外し可能なコネクタを有することができる。前記コネクタは、前記細長い部分にある前記連結ポートとの連結部を形成するように構成することができる。前記ラップトップ携帯用ストラップは、また、ケースを有するコンピュータを対象として含めることができる。前記ケースは前面と背面とを有する。前記マントルの上には取り付け用ビークルが配置され前記マントルに取り付けることができる。前記取り付け用ビークルは、前記マントルを前記コンピュータケースに取り付けるように構成することができる。前記取り付け用ビークルは、前記ラップトップ携帯用ストラップをユーザが装着したときに前記コンピュータを支持するのに十分な強度を持つことができる。前記方法は、さらに前記ラップトップ携帯用ストラップを使用して前記コンピュータを携帯するステップを含むことができる。
【考案の効果】
【０００８】
開示された前記ラップトップ携帯用ストラップによって、前記ユーザは、前記携帯用ストラップをラップトップコンピュータ等の電子機器に容易に取り付けることができる。また、開示された前記用具によって、様々な電子ディスプレイ機器のユーザは、前記携帯用ストラップを前記電子ディスプレイ機器に取り付けて、典型的には首や肩の周りに前記携帯用ストラップをループ状に掛けて使用して、前記電子ディスプレイ機器を携帯することができる。開示された前記ラップトップ携帯用ストラップは、比較的安価であり、ユーザがどのような電子機器にも簡単に装着することができる。
【０００９】
本出願において使用する用語を以下に説明する。
「取り付け用ビ−クル」は、本願発明のマントルを電子ディスプレイ機器に永久的、半永久的、またはただ一時的に取り付ける機能を果たすレイヤまたは物品を指す。これには、接着剤、下塗りされた接着剤、フックアンドループファスナー（面ファスナー）、ヒンジ、ネジ、交換用デバイスの脚部、または既存のデバイスの脚部への取り付け具の周りにループ掛けされる紐輪またはスネア、クリップ、またはケーブルが含まれる。
「間部」は、二つの他の要素の内側に挟まれた要素（通常はレイヤ）を指す。前記構造の内側には他の追加要素が存在する場合としない場合がある。
「コンピュータ」は、本明細書においては、少なくとも一つの電子ディスプレイと、少なくとも一つの外側保護側面と、を有する電子ディスプレイ機器を指すために使用される。この意味では、前記電子ディスプレイ機器は、典型的には、外側シェルが、内向きに対向するスクリーン面と本体面とを保護するように互いの方向に閉じ合う前記スクリーン面と前記本体面とを有するクラムシェル状の閉じ蓋構造を有するラップトップコンピュータ、一方の面に電子ディスプレイ、他方の面に外側シェルを有するタブレット、またはスマートフォンやポッドデバイスのことである。
「上に配置される」や「その上に配置される」とは、ある要素（通常はレイヤ）が別の要素の上に置かれることを意味する。元の二つの要素の間部に別の追加要素（レイヤ）がある場合とない場合がある。
「細長い部分」は、開示した電子デバイス携帯用ストラップの一部分を指し、電子機器に連結され、ユーザが身に着けたり把持したりするように構成される。
「マントル」は、開示した携帯用ストラップの細長い部分を電子ディスプレイ機器に直接または間接的に連結する本体部を指す。マントルは、少なくとも一つのコネクタおよびその上に配置された二つ以上の取り付け用ビークルを備えて折り畳まれた鞘形状にできる。またはマントルは、単一の取り付け用ビークルおよびその上に配置された単一の連結ポートを有するボタン（任意の形状でよい）の形状にできる。
「ポケット」は、本明細書に開示すように文房具を保持するように構成された小区画を指す。
「感圧接着剤」は、圧力が加えられると結合機能を発揮して接着剤を被着体と結合する、一種の非反応性接着剤である物質を指す。この接着剤を活性化するために、溶剤、水、または熱は必要としない。
「リバーシブル連結部」とは、少なくとも二つの部分、通常、オスの連結部とメスの連結部とを有する連結部を指す。前記二つの部分は、ぴったりと留め合うかまたは嵌合するが、ユーザが分離することもできる。
「スパイン」とは、マントルの一部になる背部を指す。開示したラップトップ携帯用ストラップのスパインは、コンピュータケースの間部（通常はヒンジを覆う）にあり、コネクタをコンピュータケースに固定するために使用することができる。いくつかの実施形態では、前記ヒンジは、このヒンジを貫通し、前記スパインまたは前記マントルの他の場所にある通気孔と位置合わせされた複数の通気孔を有し、それにより、コンピュータから発生した熱風を逃がすことができる。
「ストラップ」とは、連結ポートを介してコンピュータに取付けられるように構成された細長い要素を指す。ストラップは細くても太くてもよく、さまざまな種類の素材で作ることができる。ストラップはまた、長さ方向に沿って異なる幅または材料を有することができる。
「構造用接着剤」とは、製品寿命が終わるまでかかり続ける力に耐えながら、二つ以上の基材を結合して保持できる材料に固化または硬化する接着剤を指す。本明細書では、構造用接着剤は、化学的または光化学的に、または水分等の他の触媒を使用して、反応し硬化するか、または高熱をあてるか暖めて、次に冷却して硬化させることができる。
【図面の簡単な説明】
【００１０】
上記発明の概要は、本願発明が適用されたあらゆる実施形態の開示の各々を説明することを意図してはいない。図面の簡単な説明および以下の詳細な説明は、図で示された実施形態の典型例をより具体的に説明している。図面では、各レイヤは必ずしも正確な縮尺で描かれているわけではない。
以下の説明は、図面を参照して読んで頂きたい。図面は、必ずしも正確な縮尺ではなく、実施例を描画しているだけであり、本願発明の請求範囲を限定することを意図していない。本願発明は、以下に説明する図面と関連づけて様々な実施例に関する以下の説明を検討すると、よりよく理解することができる。
【００１１】
【図１】本願発明に基づくラップトップ携帯用ストラップの実施形態の概略斜視図である。
【図２】ラップトップコンピュータの携帯用ストラップとして使用するために配置された、図１に示したラップトップ携帯用ストラップの斜視図である。
【図３】本願発明による前記ラップトップコンピュータの携帯用ストラップとして使用するために配置されたラップトップ携帯用ストラップの別の実施形態の斜視図である。
【図４】本願発明によるラップトップ携帯用ストラップを説明する別の実施例の斜視図である。
【図５Ａ】図６Ａおよび図６Ｂに示すクローズ式ラップトップコンピュータに配置可能なマントルの実施形態の上面の概略図である。
【図５Ｂ】図６Ａおよび図６Ｂに示すクローズ式ラップトップコンピュータに配置可能なマントルの実施形態の下面の概略図である。
【図６Ａ】本願発明に係る一実施形態の一部の平面図であり、クローズ式コンピュータのケースの上面に前記マントルが配置された様子を示す図である。
【図６Ｂ】本願発明に係る一実施形態の一部の平面図であり、クローズ式コンピュータのケースの下面に前記マントルが配置された様子を示す図である。
【図６Ｃ】図６Ｂに示す前記マントルの平面図であり、前記マントルの上に置かれた文房具を収容するためのポケットを有することを示す図である。
【図７】図５Ａに示す本願発明の実施形態の平面図であり、本願発明によるラップトップ携帯ストラップの細長い部分の第１端部との取り外し可能な連結部を形成する、前記実施形態の前記マントルのスパインに取り付けられたコネクタを示す図である。
【図８】図５Ａに示す本願発明の別の実施形態の平面図であり、本願発明によるラップトップ携帯用ストラップの細長い部分の第１端部との取り外し可能な連結部を形成した、前記実施形態の前記マントルのスパインに取り付けられたコネクタを示し、前記マントルがボタンを含むことを示す図である。
【図９】本願発明の一実施形態の斜視図であり、クラムシェル状のスナップフィットコネクタの形をしたマントルを含む実施形態を示す図である。
【考案を実施するための形態】
【００１２】
本願発明は、ラップトップコンピュータやタブレットコンピュータ等の電子ディスプレイ機器を携帯するための物品、より具体的には、ラップトップ携帯用ストラップに関する。様々な実施形態を、図面を参照して詳細に説明するが、いくつかの図を通して、類似または関連する参照番号を使用して類似の部品およびアセンブリを表す場合がある。様々な実施形態について言及するが、それによって本明細書に開示するシステムおよび方法の特許請求範囲を限定するものではない。構造、寸法、および材料の例は、様々な要素に対して例示されることがあるが、提示される例の多くに適用可能な適切な代替物があることが当業者にはわかるであろう。本明細書に記載されている例は、システムおよび方法について可能な多くの実施形態のいくつかに限定することを意図するものではなく、単なる説明にすぎない。条件によっては都合がよいと示唆または言及される場合、同等物の様々な省略および置換を図っていることがわかるが、これらは、本願発明の趣旨または特許請求範囲から逸脱することなく、応用例または実施形態を網羅することを意図している。また、本明細書で使用される叙述方法および用語は、説明のためのものであり、請求範囲を限定すると見なされるべきではない。
【００１３】
本願発明の電子ディスプレイ機器用の携帯ストラップの一つの態様を本明細書で開示する。ラップトップコンピュータ用に提供される携帯用ストラップの一つの実施形態は、ユーザが着用するような構造に構成された第１の細長い部分を含む。この携帯用ストラップは、革、ビニール、布、糸、コード、織布、不織布、または金属等の多様な材料で作ることができる。
【００１４】
前記第１の細長い部分には二つの端部があり、それぞれの端部は、以下で説明する第２の細長い部分の二つの端部にそれぞれリバーシブルに連結されるように構成されている。前記携帯用ストラップは任意の長さにすることができるが、最も有用な実施形態では、ストラップをユーザの片方または両方の肩の周りに掛けることができ、ラップトップコンピュータを本実施形態である携帯用ストラップの前記第２の細長い部分に取り付けたとき、地面からの距離を、前記ラップトップコンピュータを楽にぶら下げることができるようにすることができる。いくつかの実施形態では、前記ストラップは、約０．１ｍから約３．０ｍにすることができる。ユーザに合わせて、長くまたは短く調整することができる。前記携帯用ストラップはまた、約０．５ｍｍから約１ｃｍまたは１ｃｍ少しの非常に狭い幅にわたるコード、紐、織糸のようにすることができる。または、前記携帯用ストラップは、約１ｃｍから約５ｃｍ、さらには約１０ｃｍに及ぶような、はるかに広い幅にすることができる。このような場合、それは革ベルト、金属ベルト、織布ベルトや、天然または合成の他の材料にすることができる。
【００１５】
開示される前記携帯用ストラップは第２の細長い部分を含み、該第２の細長い部分はラップトップコンピュータ、特にラップトップコンピュータのスクリーン部とキーボード部が該ラップトップコンピュータのスクリーン部とキーボード部を連結するヒンジによってクラムシェルのように内側に折り畳んで閉じることができるラップトップコンピュータのスクリーン部とキーボード部との間部に配置することができる。前記第２の細長い部分は、通常、閉じた前記ラップトップコンピュータのクラムシェルの内側の屈曲部に配置され、この閉じたラップトップコンピュータの閉じたクラムシェルの内側のヒンジの近くに延びている。前記２番目の細長い部分は二つの端部を有する。前記携帯用ストラップの前記第１の細長い部分の各端部を前記第２の細長い部分の各端部にリバーシブルに取り付け、閉じた一つながりのループを形成するように構成することができる。前記携帯用ストラップを使用中は、前記閉じた一つながりのループは、肩や首等の身体の一部に掛けられるとともに、前記ラップトップコンピュータの閉じたクラムシェルのケースを支えることができる。
【００１６】
図１は、本願発明のラップトップ携帯用ストラップ１００の一例の概略斜視図であり、ラップトップコンピュータ１５０に取り付けた状態で示している。ラップトップ携帯用ストラップ１００は、肩にかけたり、胴体にかけたり、または手から下げたりしてユーザが保持、装着、または他のし方で携帯するような構造で構成することができる。ラップトップ携帯用ストラップ１００は、第１端部１１０および第２端部１１２を有する第１の細長い部分１０２を含む。第１端部１１０には解除可能なコネクタ１０６が結合されている。第１端部１１０は、本願発明のラップトップ携帯用ストラップの第２の細長い部分１０４の第１端部にあるコネクタポート１１４に取り付けられている。第１の細長い部分１０２の第２端部１１２は、取り外し可能なコネクタ１０８（外した状態で図示されている）に取り付けられている。取り外し可能なコネクタ１０８は、コネクタポート１１４に取り付けることができ、開示したラップトップ携帯用ストラップの前記第２の細長い部分の第２端部にあるコネクタポート１１４に取り付けるように構成される。第２の細長い部分１０４は、ラップトップコンピュータ１５０のスクリーン部１５２と本体部１５４との間部のラップトップコンピュータ１５０のヒンジ１０７の近くに配置される。前記第１の細長い部分の両端を前記第２の細長い部分の両端に連結すると、ラップトップ携帯用ストラップ１００は、一つながりのループを形成し、ユーザが簡単に装用できる。
【００１７】
図２は図１に示す前記ラップトップ携帯用ストラップの斜視図であり、ラップトップコンピュータ２５０の携帯用ストラップとして使用するために配置された携帯用ストラップ２００が示されている。ラップトップコンピュータ２５０は閉じた状態で示されており、前記第１の細長い部分と前記第２の細長い部分の両端が連結されると、ユーザが使用できる状態になった一つながりのループを形成する。
【００１８】
図３は本願発明のラップトップ携帯用ストラップの別の実施形態のさらに別の斜視図である。この実施形態では、ラップトップ携帯用ストラップ３００は広い部分３０２および狭い部分３０４を含む前記第１の細長い部分が図示されており、上記広い部分３０２および狭い部分３０４は、ラップトップコンピュータ３５０を携帯するために、図示のように、または他の多くのやり方で組み合わせることができる。図３は、複数の幅を持つラップトップ携帯用ストラップのほんの一つの実施形態の図である。図３に示す実施形態は、前記第１の細長い部分の広い部分３０２および狭い部分３０４を示すが、必要に応じて、ユーザが望む装飾的目的または機能的目的に合わせて前記第１の細長い部分の長さ方向全体にわたって追加のより広いまたはより狭い部分を含む他の実施形態を考案できる。
【００１９】
図４は、いくつかの追加機能を含む本願発明のラップトップ携帯用ストラップの実施形態の部分斜視図である。ラップトップ携帯用ストラップ４００は、前述の上記実施形態に示すような第１の細長い部分４０２を含む。さらに、前記第１の細長い部分は、ストラップパッド４２４を含むことができる。図４では、ストラップパッド４２４は、第１の細長い部分４０２の周囲に嵌装され、バッテリ４２６を含む。バッテリ４２６は、電源ケーブル４０３および電源コネクタ４２２を介してラップトップコンピュータ４５０や他の電子機器に電力を供給または充電するように構成されている。例えば、電源ケーブル４０３は、電源コネクタ４２２を介してラップトップコンピュータ４５０に接続することができる。電源ケーブル４０３は、第１の細長い部分４０２に任意の所望の方法で取り付けることができる。図４に示す実施形態では、電源ケーブル４０３は、図示のように、前記第１の細長い部分の内側に埋め込まれるか、内部に取り付けられている。ストラップパッド４２６はまた、図示のように携帯電話４３０に接続されたワイヤの余分な部分を収納するように構成された区画を有する。
【００２０】
図５Ａ及び図５Ｂは、本願発明のラップトップ携帯用ストラップの別の実施形態で有用なマントルの平面図（それぞれ、外側および内側平面図）である。マントル５００の上面（外側）を図５Ａに示す。マントル５００は、革、ビニール、強化プラスチック、金属、金属箔、マット状のバインダーが埋め込まれた布やポリマーコーティングが入った布等の強化布、タペストリー、織布または不織布、ゴム、ナイロン合成品、またはこれらの混合されたハイブリッド品等の多くの材料から作ることができる。マントル５００は、一つまたは複数の取り付け用ビークルを含むことができる（図５Ａおよび図５Ｂでは５３０および５３２の二つが示されている）。
【００２１】
いくつかの実施形態では、前記取り付け用ビークルは、構造用接着剤（ホットメルト接着剤）、または感圧接着剤等の接着剤を含む。有用な構造用接着剤の例としては、シアノアクリレート接着剤、エポキシ接着剤、メタクリレート接着剤、ウレタン接着剤、および様々なタイプのホットメルト接着剤が含まれるが、これらに限定されない。二つ以上の取り付け用ビークルがマントルにある場合、これらの取り付けビークルの材料は同じでも異なっていてもよい。本願発明で使用できる感圧接着剤の例には、ＶＨＢ（登録商標）接着テープ（ミネソタ州セントポールの３Ｍ（登録商標）社製）、ならびにアクリルフォーム接着剤、シリコーン接着剤、および当業者には周知の他の構造用感圧接着剤がある。また、有用な取り付け用ビークルとして考えられるものには、いくつか例を挙げると、面ファスナー、スナップコネクタ、および剥離可能な接着剤が含まれる。本明細書で使用する場合、剥離可能な接着剤とは、所与の電子ディスプレイ機器を保持するために十分な強度（通常は剪断強度）を発揮できるが、例えば、目的のラップトップ携帯用物品において働くために必要な力の方向の法線方向を向いた平面でせん断するような機構によって剥離することができる接着剤である。代表的な接着剤は、ミネソタ州セントポールの３Ｍ社から商品名ＣＯＭＭＡＮＤ（登録商標）で市販されている。本願発明のマントルは、例えば、いくつかの実施形態では、マントル５００の長さ方向に走るスパイン５４０（図５Ｂのマントルの内側に図示されている）等の補強アイテムを含むことができる。スパイン５４０は、必要に応じて、マントル５００の一部に取り付けたり、一体化したりすることができ、または、当業者に周知の任意の方法によってマントルに固定することができる。
【００２２】
スパイン５４０は、その上に一つまたは複数のループ体５２０を取り付けることができる。前記スパインは、例えば、縫製（図５Ｂに示す）、面ファスナー、接着剤の塗布によって、前記マントルの内側に取り付けることができる。ループ体５２０の一部は、前記スパインおよびマントルの開口部を通って外にはみ出てループ５２１を形成することができる。前記ループ５２１に連結ポート１１４（例えば、図１〜４及び図７に示す）のような連結ポートを取り付けることができる。図５Ａおよび図５Ｂに示す実施形態では、前記連結ポートは、全体的または部分的に、例えば、結束、通しループ、ねじ、または紐輪によってループ５２１に取り付けることができる。本願で開示されるマントルは、前記マントルの前記スパインを含め、マントルを通って延在する通気孔を含むことができる。前記通気孔は任意の形にすることができ、前記スパインに部分的にまたは全体に亘って延在することができる。いくつかの実施形態では、前記マントルは、コンピュータケースの裏面に沿って延在する。いくつかの実施形態では、前記マントルは、コンピュータケースの裏面に沿って延在するとき、前記コンピュータのヒンジを少なくとも部分的に覆っている。ラップトップコンピュータは、一般的にコンピュータ本体から排気する冷却ファンを有する。通常、前記冷却ファンの排気口は、前記ラップトップコンピュータの本体部とスクリーン部との間部のヒンジの近くでコンピュータ本体から出ている。いくつかの実施形態では、通気孔を備えた前記マントルは、コンピュータの冷却ファンの排気口に近接して位置を合わせておかれ、前記コンピュータから熱を放散させることができる。これらの実施形態では、前記マントルは、コンピュータケースの裏面に沿って延在し、少なくとも部分的にヒンジを覆うことができる。
【００２３】
前記取り付け用ビークルは、前記マントルの上に配置して取り付けることができ、前記マントルをコンピュータケース（例えば、ラップトップ、タブレット、またはスマートフォンのシェル側面）に取り付けるように構成することができる。前記取り付け用ビークルは、本願発明のストラップをユーザが着用したときにコンピュータを支持するために十分なせん断強度と弾性度を有する必要がある。一般的なラップトップコンピュータは、本願発明によって想定される最も重いタイプの電子機器である。このようなラップトップコンピュータは、例えば、最大０．５ｋｇ、最大１ｋｇ、最大２ｋｇ、最大５ｋｇ、またはそれ以上の重量を有する可能性がある。加速がない場合（つまり、ユーザが静止して保持する場合）、この重量はおおよそ、最大０．５Ｎ、最大１．０Ｎ、最大２Ｎ、最大５Ｎまたはそれ以上の力に相当する。しかし、ラップトップが床やテーブルから持ち上げられる場合など、加速されている場合は、前記取り付け用ビークルが耐える必要のある力の大きさは増大する。前記取り付け用ビークル（または複数の取り付け用ビークルの集合）は、ラップトップまたは他の電子機器を携帯するという意図された目的に役立つためには、この力（通常はせん断力）に耐えることが必要である。
【００２４】
図６Ａおよび図６Ｂは、閉じたラップトップコンピュータ・ケース６０２の上面６０４（図６Ａ）及び下面６０８（図６Ｂ）の上にマントルが配置される様子を示す、本願発明に係る一つの実施形態の一部の平面図である。図示の実施形態では、取り付けループ６０６が示されている。取り付けループ６０６は、前記マントルに外側から接続し、前記ヒンジの上で、前記コンピュータケースの上部に取り付けることができる。取り付けループ６０６は、例えば、本願発明によるラップトップ携帯用ストラップの第１の細長い本体に取り付けるための一つのループ、二つのループ、またはさらに多くのループを含むことができる。前記取り付けループは、前記マントルに取り付けられた一つまたは複数の独立したループを含むことができる。あるいは、図６Ａおよび図６Ｂに示すように、連結ストラップ６０５は、ラップトップコンピュータのヒンジ部分全体に被さるようにマントルに取り付けることができる、二つの取り付けループ６０６を備えた一体型部品であり得る。この一体型部品には、一つ、二つ、またはそれ以上の取り付けループを含めることができる。この構成では、連結ストラップ６０５は、本願発明のラップトップ携帯用ストラップの第１の細長い部分としても機能することができ、ユーザがラップトップを携帯するために使用することができる。
【００２５】
いくつかの実施形態では、マントルは、筆記具（ペン、鉛筆、マーカーなど）、小さなノートブック、または電子タブレットやスマートフォン等の小さな電子機器等の文房具を保管するように構成されたポケットを有することができる。該ポケットは、本願発明に記載されているか、または当業者に知られている任意の固定手段によって、マントルの外側（取り付け用ビークルの反対側）に取り付けることができる。図６Ｃに示す実施形態では、ポケット６０２は、マントル６０４および／またはコンピュータ外装ケース６０６の一部に取り付けられている。
【００２６】
図７は、図５Ａに示す本願発明の実施形態の平面図であり、本実施形態の前記マントルの前記スパインに取り付けられたコネクタを示し、該コネクタは本願発明のラップトップ携帯用ストラップの前記細長い部分の第１端部との着脱可能な連結部を形成していたものである。この図示の例の場合、例えば図１に示す連結ポートは、図５Ａに示すように取り付け用ループに取り付けられ、そして、解除可能なコネクタが、例えば、上記図１に示すように前記連結ポートに取り付けられている。
【００２７】
いくつかの実施形態では、前記マントルは一つまたは複数のボタンを含み、該ボタンは、ラップトップコンピュータのケースに近い側面に取り付け用ビークルを有し、前記ボタン自体と機械的に締結されるか、または前記ボタン自体と一体になった取り付け用ループを有する。設けられた前記ボタンは、金属、硬質ポリマー、ゴム又はラテックスのような半硬質ポリマー、木材、またはプラスチックから作ることができるボタンベースを含むことができる。いくつかの実施形態では、少なくとも二つのボタンをコンピュータケース上に配置することができる。または、両方のボタンをコンピュータケースの裏面に配置する、または、少なくとも一つのボタンをコンピュータケースの表面に、かつ少なくとも一つのボタンを該コンピュータケースの裏面に配置することができる。いくつかの実施形態では、取り付け用ビークル、例えば、接着剤を、前記ボタンベースの一方の側面に直接配置することができる。いくつかの実施形態では、取り付け用ビークルとベースとの間部に接着促進剤を含ませることが必要な場合がある。接着促進剤は、前記ベースの表面の表皮離脱、前記ベースの表面のコロナ処理のように物理的なものか、または前記ベースの表面上で有効なプライマー等の化学的なものにすることができる。ポリオレフィンの表面に有効なプライマーの例としては、フロリダ州マイアミ所在のグレインジャー社から入手可能なＬＯＣＴＩＴＥ（登録商標）  ＳＦ  ７７０プライマー、またはミネソタ州セントポール所在の３Ｍ社から入手可能なＳＣＯＴＣＨ−ＷＥＬＤ（登録商標）  ＡＣ７９接着プライマーがある。他の材料でできた表面には、当業者に周知の他の接着促進剤を使用することができる。
【００２８】
図８は、図５Ａに示す本願発明の別の実施形態の平面図であり、本願発明に係るラップトップ携帯用ストラップの前記細長い部分の第１端部との着脱可能な連結部を形成している本実施形態の前記マントルのスパインに取り付けられたコネクタを示す。本実施形態では前記マントルは上記段落で記載したボタンを含む。本実施形態では、ボタン８０２は、ラップトップコンピュータ用ケースの裏面に接着されて示されている。ボタン８０２には、取り付け用ループ８０４が取り付けられている。いくつかの実施形態では、二つ以上のボタンを、ラップトップコンピュータ用ケースの同じ面または異なる面に取り付けることができる。
【００２９】
別の実施形態では、前記マントルは、少なくとも部分的に前記ラップトップコンピュータを覆うように構成することができる。この実施形態では、前記マントルは保護ケースとして機能することができ、前記マントル内に置いた前記ラップトップコンピュータをスナップフィット構成等によってリバーシブルに固定することができる。この構成では、前記マントルは前記ラップトップコンピュータの形状に少なくとも部分的に合致するシェルを有する。いくつかの実施形態では、前記マントルは、図９に示すクラムシェル構成を使用して前記ラップトップコンピュータを覆うことができる。前記ラップトップコンピュータは、前記コンピュータを、事前に形成した前記シェルにスナップによって前記マントルにリバーシブルに取り付けることができる。
【００３０】
図９は、本願発明の一つの実施形態を示す。ラップトップ携帯用ストラップ９００は、少なくとも部分的にマントル９０６と９０８（それぞれキーボード用シェルとディスプレイ用シェル）によって覆われているラップトップコンピュータ９０２（キーボード面）および９０４（スクリーン面）を含む。この構成では、ラップトップキーボード部９０２は、前記マントルのキーボードシェル部９０６にスナップフィットによって連結することができる。いくつかの実施形態、例えば図９に示す実施形態では、前記マントルは、前記ラップトップコンピュータの前記スクリーン側の面を保護するように構成されたディスプレイシェル部を有することができる。例示された前記マントルの少なくとも前記キーボードシェル部または前記ディスプレイシェル部は、前記マントルの中に配置された対応する部分とのスナップフィットを具備することができる。いくつかの実施形態では、前記ラップトップコンピュータの前記キーボードシェルと前記ディスプレイシェルの両方は、前記マントルの前述のそれぞれの部分にスナップフィットすることができる。
【００３１】
図９に示す実施形態では、前記取り付け用ビークルは前記ラップトップコンピュータを固定するためのスナップフィット機構である。前記スナップフィット機構は、前記ラップトップコンピュータの少なくとも一部をリバーシブルに保持し、それによって前記ラップトップコンピュータをラップトップ携帯用ストラップに取り付け、かつ、該ラップトップ携帯用ストラップを利用して前記ラップトップコンピュータを使用するようにできる任意のタイプの連結機能にすることができる。他のリバーシブル連結部としては、当業者に周知のものを想到することができる。図９は、また、前記ラップトップコンピュータの前記ヒンジの近くにあり、かつ本願開示のラップトップ携帯用ストラップの第１の細長い部分（図示せず）に連結するために利用可能な第２の細長い部分９１０を示す。この第２の細長い部分９１０は、ユーザが持ち運ぶための一つながりのループを形成するために、前記第１の細長い部分と連結するように構成されている。あるいは、図示された取り付け用ループまたは紐輪９１２も上記のいずれかの方法によってラップトップ携帯用ストラップの第１の細長い部分またはハンドルに連結するために利用することができる。
【００３２】
別の態様では、コンピュータを携帯するための方法が開示され、該方法は外装ケースを有するコンピュータにラップトップ携帯用ストラップを取り付けるステップを含む。前記ラップトップ携帯用ストラップは、本明細書の上述の開示に記載されており、ユーザが着用するような構造に構成された細長い部分を含む。前記細長い部分は、その上に配置された少なくとも一つの連結ポートを含むことができる。前記ラップトップ携帯用ストラップは、ユーザが着用するような構造に構成された細長い部分を含むことができる。前記ラップトップ携帯用ストラップは、その上に配置された少なくとも一つの連結ポートとマントルとを含むことができる。前記マントルは、内側面と外側面を有し、少なくとも一つの取り外し可能なコネクタを含むことができる。前記コネクタは、前記細長い部分にある前記連結ポートとの連結部を形成するように構成できる。
【００３３】
前記ラップトップコンピュータ用ストラップは、ケースを有するコンピュータを含めることができる。前記ケースは、前面と背面を持つことができ、前記コンピュータとディスプレイと密着した一部または一体型にすることができる。取り付け用ビークルは、前記マントルの上に配置して取り付けることができる。前記取り付け用ビークルは、前記マントルを前記コンピュータケースに取り付けるように構成することができる。前記取り付け用ビークルは、前記ストラップをユーザが着用したときに前記コンピュータを支えるために十分な強度を持つことができる。
【００３４】
前記方法はさらに、前記ラップトップ携帯用ストラップを使用して前記コンピュータを携帯するステップを含む。いくつかの実施形態では、前記コンピュータは、ラップトップコンピュータ、電子タブレット、「スマート」フォン、または他の携帯型電子ディスプレイ機器のような電子機器とすることができる。いくつかの実施形態では、前記マントルは、少なくとも二つのコネクタポートを含むことができ、前記ラップトップ携帯用ストラップは肩にかけて着用することができ、それによって、コンピュータを支持することができる。
【００３５】
本願発明は、ラップトップ携帯用ケースなしでラップトップを携帯するために使用することができるラップトップ携帯用ストラップの最小限の構成を記載している。他のストラップの構成が考えられる。いくつかの実施形態では、本明細書に記載されているストラップの一部は、ラップトップの携帯ケースと共に使用することができる。本明細書及び本願発明の主題に関連する技術分野の当業者は、複数の実施形態が、実施例によって説明されるか、または本明細書で考案された個々の実施形態に示されたものよりも少ない技術的特徴を含むことができることを認識するであろう。本明細書に記載の実施形態は、様々な特徴を組み合わせ、かつ／または配置する方法を網羅的に提示することを意図するものではない。したがって、本明細書の実施形態は、技術的特徴の相互に排他的な組み合わせではない。むしろ、複数の実施形態は、異なる個々の実施形態から選択される異なる個々の技術的特徴の組み合わせを含むことができる。このことは、関連する技術分野の当業者には理解されよう。さらに、一実施形態に関連して記載された構成要素は、特に断りのない限り、他の実施形態に記載されていない場合でも、そのような他の実施形態で実施することができる。一つの従属請求項は、その請求項の中で、一つまたは複数の他の請求項との特定の組み合わせを引用することができるが、他の実施形態はまた、前記従属請求項と各々の他の従属請求項の主題との組み合わせ、または、一つまたは複数の技術的特徴と他の従属請求項または独立請求項との組み合わせを含むことができる。このような組み合わせは、特定の組み合わせを意図していないことが述べられていない限り、本明細書で提示されている。さらに、一つの請求項が他の任意の独立請求項に直接従属していない場合でも、前記独立請求項内に前記一つの請求項の技術的特徴を含めることも意図されている。
【００３６】
本願発明の様々な変形例および変更例が、本願発明の範囲および技術的思想から逸脱することなく当業者には自明であろう。図面および上述の詳細な説明によって開示された実施形態は、本明細書内の以下に記載された特許請求の範囲によってのみ限定されるように意図されていることを理解されたい。本明細書内で引用されるすべての引用文献は、引用することによりその全体が本明細書に組み込まれる。
【図１】
0003233853.tif 000003
【図２】
0003233853.tif 000004
【図３】
0003233853.tif 000005
【図４】
0003233853.tif 000006
【図５Ａ】
0003233853.tif 000007
【図５Ｂ】
0003233853.tif 000008
【図６Ａ】
0003233853.tif 000009
【図６Ｂ】
0003233853.tif 000010
【図６Ｃ】
0003233853.tif 000011
【図７】
0003233853.tif 000012
【図８】
0003233853.tif 000013
【図９】
0003233853.tif 000014
【手続補正書】
【提出日】令和3年6月7日(2021.6.7)
【手続補正１】
【補正対象書類名】実用新案登録請求の範囲
【補正対象項目名】全文
【補正方法】変更
【補正の内容】
【実用新案登録請求の範囲】
【請求項１】
ラップトップ携帯用ストラップであって、
ユーザが装着するような構造に構成された第１の細長い部分と、
ラップトップコンピュータのスクリーン部と本体部との間部の前記スクリーン部と前記本体部とを連結するヒンジの近くに配置され、前記ラップトップコンピュータから離れる方へ延在するような構造に構成された第２の細長い部分とを含み、
前記第１の細長い部分の第１端部は、前記第２の細長い部分の第１端部に連結され、前記第１の細長い部分の第２端部は前記第２の細長い部分の第２端部に連結され、前記第１の細長い部分と前記第２の細長い部分とで一つながりのループを形成し、かつ、
前記第１の細長い部分と前記第２の細長い部分とは、前記第２の細長い部分を前記ラップトップコンピュータの前記スクリーン部と前記本体部との間部の前記ヒンジの近くに置いて前記ラップトップ携帯用ストラップを前記ユーザが装着するとき、前記ラップトップコンピュータを保持することができる十分な強度を持つこと
を特徴とするラップトップ携帯用ストラップ。
【請求項２】
さらにマントル含み、
該マントルは、少なくとも部分的に前記ラップトップコンピュータを覆うように構成され、かつ、前記マントルは前記ラップトップコンピュータをリバーシブルに固定するように構成されていること
を特徴とする請求項１に記載のラップトップ携帯用ストラップ。
【請求項３】
ラップトップ携帯用ストラップであって、
ユーザが装着することができるような構造に構成された細長い部分であって、その上に配置された少なくとも一つの連結ポートを有する前記細長い部分と、
内面と外面とを有し、かつ、前記細長い部分に置かれた前記少なくとも一つの連結ポートと取り外し可能な連結部を形成するように構成された少なくとも一つの取り外し可能なコネクタを含むマントルと、
前面と背面とさらにヒンジとを有するケースを含むコンピュータと、
前記マントル上に配置されて前記マントルに取り付けられ、かつ前記マントルを前記コンピュータのケースに取り付けるように構成され、かつ、ユーザが前記ラップトップ携帯用ストラップを装着したときに前記コンピュータを支持するために必要な十分な強度を持つ取り付け用ビークルと、を含むこと
を特徴とするラップトップ携帯用ストラップ。
【請求項４】
前記マントルは、前記マントルの上に間隔を置いて配置された２つ以上の取り付け用ビークルを有すること
を特徴とする請求項３に記載のラップトップ携帯用ストラップ。
【請求項５】
前記マントルは、さらにスパインを有すること
を特徴とする請求項３に記載のラップトップ携帯用ストラップ。
【請求項６】
前記取り外し可能なコネクタが前記マントルの前記スパインに取り付けられていること
を特徴とする請求項５に記載のラップトップ携帯用ストラップ。
【請求項７】
前記少なくとも一つのリバーシブルなコネクタは、前記少なくとも一つの連結ポートとリバーシブルな連結部を形成するように構成されること
を特徴とする請求項３に記載のラップトップ携帯用ストラップ。
【請求項８】
前記マントルが、革、ビニール、強化プラスチック、金属、金属箔、マット状のバインダーが埋め込まれた布、またはポリマーコーティングが挿入された布のような強化布、タペストリー、織布材または不織布材、ゴム、ナイロン合成繊維、またはこれらが任意に混合されたハイブリッド品を含むこと
を特徴とする請求項３に記載のラップトップ携帯用ストラップ。
【請求項９】
前記マントルは、その上に配置された少なくとも二つのコネクタを有すること
を特徴とする請求項３に記載のラップトップ携帯用ストラップ。
【請求項１０】
前記マントルが、その上に配置された少なくとも二つの取り外し可能なコネクタを有すること
を特徴とする請求項３に記載のラップトップ携帯用ストラップ。
【請求項１１】
取り外し可能な前記コネクタが、スナップコネクタ、フックアンドループコネクタ、剥離可能な接着剤、紐輪、またはスネアを含むこと
を特徴とする請求項３に記載のラップトップ携帯用ストラップ。
【請求項１２】
前記マントルは、その中を通って配置された少なくとも一つの通気孔を含むこと
を特徴とする請求項３に記載のラップトップ携帯用ストラップ。
【請求項１３】
前記少なくとも一つの通気孔が前記コンピュータのケースの前記ヒンジに近接して配置されること
を特徴とする請求項１２に記載のラップトップ携帯用ストラップ。
【請求項１４】
前記細長い部分が、電池、イヤホン、またはその両方を固定するように構成された区画を含むこと
を特徴とする請求項３に記載のラップトップ携帯用ストラップ。
【請求項１５】
前記マントルは、前記コンピュータのケース上に配置された二つ以上のボタン有すること
を特徴とする請求項３に記載のラップトップ携帯用ストラップ。
【請求項１６】
前記マントルは、文房具を保持するように構成されたポケットを有すること
を特徴とする請求項３に記載のラップトップ携帯用ストラップ。
【請求項１７】
少なくとも二つのボタンが前記コンピュータのケース上に配置され、該少なくとも二つのボタンは、両方とも前記コンピュータの前記ケースの前面に、または両方とも前記コンピュータの前記ケースの裏面に、または少なくとも一つのボタンは前記コンピュータの前記ケースの前面に、かつ少なくとも一つのボタンは前記コンピュータの前記ケースの裏面に配置されること
を特徴とする請求項３に記載のラップトップ携帯用ストラップ。
【請求項１８】
前記マントルは、前記コンピュータのケースの裏面に沿って延在し、少なくとも部分的に前記ヒンジを覆うこと
を特徴とする請求項３に記載のラップトップ携帯用ストラップ。
【請求項１９】
前記取り付け用ビークルは、永久的に取り付けられている、または取り外し可能であること
を特徴とする請求項３に記載のラップトップ携帯用ストラップ。
【請求項２０】
前記永久的に取り付けられている取り付け用ビークルは、構造用接着剤または感圧接着剤を含むこと
を特徴とする請求項１９に記載のラップトップ携帯用ストラップ。
【請求項２１】
前記永久的に取り付けられている取り付け用ビークルは、少なくとも約５キログラムの力に耐えることができること
を特徴とする請求項２０に記載のラップトップ携帯用ストラップ。
【請求項２２】
前記第１の細長い部分が、前記ラップトップコンピュータに接続するように構成されたバッテリを含むこと
を特徴とする請求項１に記載のラップトップ携帯用ストラップ。
【請求項２３】
前記細長い部分が、前記コンピュータに接続するように構成されたバッテリを含むこと
を特徴とする請求項３に記載のラップトップ携帯用ストラップ。